(57)【要約】      （修正有）【課題】搬送量が少なく、複数の被搬送物を搬送する場合において、安価なベルトコンベヤ（搬送装置）を提供する。【解決手段】駆動プーリと従動プーリとの間に掛け渡されて周回するベルト１の搬送面上にその帯方向全長に亘る仕切壁１０を設けたベルトコンベヤである。仕切壁は、ベルトの帯方向に分割された別物であって、各分割片１１は、駆動プーリ及び従動プーリの円弧状の移動時においても、その隣り同士の側縁の重なり合いが解除されない。従動プーリ側及び駆動プーリ側にヘッドシュート及びホッパーをそれぞれ２台設けている。分割された搬送路１ａ、１ｂにはそれぞれスクレーパ装置を設けている。各ヘッドシュートからそれぞれ異なる種類の被搬送物Ｄ１、Ｄ２が左右の分割搬送路に送り込まれると、往路を搬送され、各ホッパーに送り込まれる。【選択図】図１Ｃ
2016132533.tif 000002
【特許請求の範囲】
【請求項１】
駆動プーリ（２）と従動プーリ（３）との間に掛け渡されて周回する搬送面（１）を有する搬送装置（Ｂ）であって、前記搬送面（１）にその周回方向全長に亘る仕切壁（１０、１０ａ、１０ｂ、１０ｃ）を設け、その仕切壁により前記搬送面（１）がその幅方向で複数に分割されて、前記仕切壁は搬送面（１）の搬送方向に伸縮可能となっていることを特徴とする搬送装置。
【請求項２】
上記仕切壁（１０、１０ｂ、１０ｃ）は、搬送面（１）の周回方向に複数に分割されて、その各分割片（１１、１０ｂ１、１０ｂ２）は、隣り同士の側縁が重なり合って上記駆動プーリ（２）及び従動プーリ（３）の円弧状の移動時においても、その重なり合いが搬送方向に伸縮して解除されないようになっていることを特徴とする請求項１に記載の搬送装置。
【請求項３】
上記仕切壁（１０、１０ａ、１０ｂ、１０ｃ）は、上記搬送面（１）を成す部材とは別物であって、その別物の仕切壁（１０、１０ａ、１０ｂ、１０ｃ）を前記搬送面に固定したことを特徴とする請求項１又は２に記載の搬送装置。
【請求項４】
上記仕切壁（１０、１０ａ、１０ｂ、１０ｃ）によって分割された各搬送路にそれぞれスクレーパ装置（Ｃ）を設けたことを特徴とする請求項１乃至３の何れか１つに記載の搬送装置。
【請求項５】
上記搬送面（１）が上記駆動プーリ（２）と従動プーリ（３）との間に掛け渡された無端状ベルトであることを特徴とする請求項１乃至４の何れか１つに記載の搬送装置。
【発明の詳細な説明】
【技術分野】
【０００１】
この発明は、駆動プーリと従動プーリとの間に掛け渡されて周回する搬送面を有する搬送装置に関するものである。
【背景技術】
【０００２】
この種の搬送装置として、ベルトコンベア（ベルトフィーダ）、エプロンコンベア（エプロンフィーダ）等があり（特許文献１、特許文献２、特許文献３等参照）、例えば、そのベルトコンベアは、火力発電所、製鉄所、化学プラント、下水処理場、ゴミ処理場等において、各種原料や燃料、処理済の材料、廃棄物等の被搬送物の搬送に使用されている。このベルトコンベヤは、一般的に、駆動プーリと従動プーリとの間に所定幅のゴム製ベルトを巻き付け、駆動プーリを回転させることによりそのベルトを両プーリ間で周回運動させて、被搬送物を搬送する（特許文献１、図１、特許文献２、図１、特許文献４、図５等参照）。
【０００３】
この種のゴム製ベルトを使用したコンベヤも含めて従来の搬送装置は、一の搬送面によって一種類の被搬送物を搬送している。
一方、搬送路の往復路を並行に設けたベルトコンベヤも提案されている（特許文献４参照）。また、ベルトの長さ方向全長に亘って所要間隔で横桟を設けて搬送面をその長さ方向において分割したコンベア装置も提案されている（特許文献５参照）。
【先行技術文献】
【特許文献】
【０００４】
【特許文献１】実用新案登録第３００６０３４号公報
【特許文献２】実開平７−２３２８号公報
【特許文献３】特開２０１３−１０７７２０号公報
【特許文献４】特開２００１−１９１３６号公報
【特許文献５】特開２００８−１６２７５２号公報
【発明の概要】
【発明が解決しようとする課題】
【０００５】
上記何れの搬送装置においても、一の搬送面によって搬送する被搬送物は一種類である。
【０００６】
この発明は、上記実状の下、上記一の搬送面からなる搬送装置において、複数の異なる被搬送物を搬送し得るようにすることを課題とする。
【課題を解決するための手段】
【０００７】
上記課題を達成するために、この発明は、搬送面上にその周回方向全長に亘る仕切壁を設けたのである。
この仕切壁によって一の搬送面が複数に分割されるため、その分割された各搬送路に個別の被搬送物を送り込むことによって、その各被搬送物を一の搬送面の移動によって搬送することができる。
【０００８】
この発明の構成としては、駆動プーリと従動プーリとの間に掛け渡されて周回する搬送面を有する搬送装置において、前記搬送面にその周回方向全長に亘る仕切壁を設け、その仕切壁により前記搬送面がその幅方向で複数に分割されて、前記仕切壁は搬送面の搬送方向に伸縮可能となっている構成を採用することができる。
この構成においては、上記搬送面が駆動プーリ及び従動プーリを周回して円弧状に移動する際、仕切壁は伸縮してその周回軌跡の変化に対応して両プーリを円滑に周回する。
【０００９】
上記搬送装置が、例えばベルトコンベアであれば、上記搬送面はベルトで構成され、同エプロンコンベアであれば、同エプロンで構成され、その搬送面をなすベルトやエプロンの走行（移動）に伴って被搬送物も移動して搬送される。
【００１０】
仕切壁は、搬送面の幅方向に１条以上を設けることができ、複数の場合、その間隔も任意であるが等間隔が好ましい。その条数によって、搬送面の分割数が決定され、例えば、１条であれば、２つの分割搬送面となり、２条であれば、３つの分割搬送面となる。１条の仕切壁の場合、その仕切壁を搬送面の幅方向中央からずらし、複数条の仕切壁の場合、その仕切壁の間隔を異ならせると、分割された各搬送面の幅も異なり、同時に搬送する被搬送物の量が異なる場合に有効となる。
【００１１】
この構成の搬送装置において、分割された搬送路（搬送面）には仕切壁が存在するが、その両側には周回方向全長に亘って障害物がないため、それぞれスクレーパ装置を設けることができる。
【００１２】
上記仕切壁の伸縮構成は、仕切壁をゴム等の弾性体で形成したり、蛇腹状としたり、長さ方向所要間隔に縦方向の切り込みを入れたりすることができる。また、搬送面の周回方向に仕切壁が複数に分割されて、その各分割片は、隣り同士の側縁が重なり合って上記駆動プーリ及び従動プーリにおける円弧状の移動時、その重なり合いが走行方向に伸縮して解除されないようになっている構成とすることもできる。
仕切壁又はその各分割片は搬送面を成すベルト等の部材と一体成形品としても良いが、当該部材と別物とすれば、その別物の仕切壁又は分割片を既設の搬送面をなす部材に接着、ビス止めなどによって取り付けることができるため、既設のベルトコンベアやエプロンコンベア等の搬送装置をこの発明に係るものとすることができる。
【発明の効果】
【００１３】
この発明は、以上のように構成して、一の搬送面を有する搬送装置において、複数の異なる被搬送物を搬送し得るようにしたので、搬送量が少なく、複数の異なる被搬送物を同時に搬送する場合や、同時でなくても、混合してはいけない複数の異なる被搬送物を搬送する場合において、安価な搬送装置とすることができる。
【図面の簡単な説明】
【００１４】
【図１Ａ】この発明に係わる搬送装置の一実施形態の概略平面図
【図１Ｂ】同実施形態の概略正面図
【図１Ｃ】同実施形態の概略側面図
【図２】同実施形態の要部拡大切断側面図
【図３】同実施形態の仕切壁を示し、（ａ）は部分斜視図、（ｂ）は部分平面図
【図４Ａ】同他の実施形態の仕切壁部分の概略平面図
【図４Ｂ】同概略正面図
【図５】同実施形態の仕切壁を示し、（ａ）は部分斜視図、（ｂ）は部分平面図
【図６】同さらに他の実施形態の要部拡大切断側面図
【図７】同実施形態の仕切壁の部分斜視図
【図８】同仕切壁の各分割片の斜視図
【図９】同実施形態の他の仕切壁の部分斜視図
【図１０】同仕切壁の各分割片の斜視図
【発明を実施するための形態】
【００１５】
この発明に係わる搬送装置であるベルトコンベヤの一実施形態を図１〜図３に示し、このベルトコンベヤＢは、従来と同様に、駆動プーリ２と従動プーリ３との間に所定幅のゴム製ベルト１を巻き付け、モータＭにより駆動プーリ２を回転させることによりそのベルト１を両プーリ２、３間で矢印ａ方向に周回運動させる（図１Ｂ参照）。ベルト１の往路下面の幅方向中央及び両側には所要間隔に往路案内ローラ４を設けて、往路においてはベルト１の両端がせり上がって被搬送物がベルト１からこぼれ落ちないようになっている。図中、５は復路案内ローラ、Ｆは装置フレームである。
【００１６】
周回するベルト１は、その往路においては上面が搬送面、復路においては下面が搬送面となり、以下、その周回するベルト１の搬送面（搬送路）にも適宜に符号１を付す。その周回する搬送面（ベルト）１の幅方向中央にその周回方向（長さ方向）全長に亘る仕切壁１０が設けられている。
【００１７】
この仕切壁１０は、図３に示すように、搬送面（ベルト）１の周回方向に複数に分割されたベルト１と同質の材料から成る。その各分割片１１は、逆等脚台形の板片からなって、その板片の下縁に取付片１２を設けたものであり、その取付片１２を搬送面１に接着やビス止め等によって取り付けることによって各分割片１１をベルト１に固定し、ベルト１の搬送面上の幅方向中央にベルト１の周回方向全長に亘る仕切壁１０を形成する（図２参照）。
【００１８】
このベルト１に固定された各分割片１１は、図３に示すように、その隣り合う両側部が重なり合って上記駆動プーリ２及び従動プーリ３の部分において円弧状に移動時しても、その重なり合いが伸縮（重なり合い度合いが変化）して解除されない。このとき、取付片１２も、図３に示すように分割片１１の下縁に沿って所要数に分割すれば、前記円弧状への変形が容易となる。
【００１９】
このベルトコンベヤＢは、搬送路１が分割されたため、従動プーリ３側のヘッドシュートＳ及び駆動プーリ２側のホッパーＨもその両搬送路１ａ，１ｂに対応するように２台設けている。
また、その分割された搬送路１ａ、１ｂには、ベルト１の中央部に仕切壁１０が存在するが、その両側には帯方向全長に亘って障害物がないため、それぞれスクレーパ装置Ｃを設けている。そのスクレーパ装置Ｃは特許文献２の図１、図４で示す従来から周知のものを採用する。
【００２０】
この実施形態のベルトコンベヤＢは以上の構成であり、今、ベルト１が走行している状態において、各ヘッドシュートＳ、Ｓからそれぞれ異なる種類の被搬送物Ｄ１、Ｄ２が左右の分割搬送路１ａ、１ｂに送り込まれると、ベルト１の走行に伴って往路を同時に搬送され、その両被搬送物Ｄ１、Ｄ２はそれぞれのホッパーＨに送り込まれる。復路では、各分割搬送路１ａ、１ｂにおいて、スクレーパ装置Ｃによって搬送面１ａ、１ｂに付着した被搬送物Ｄ１、Ｄ２が剥ぎ取られる。
【００２１】
図４Ａ、図４Ｂ及び図５には、仕切壁の他例を示し、この仕切壁１０ａは上記各分割片１１を連続したものとするとともに、その帯状壁１１ａをその下縁から上縁に向かってその帯方向波状の振幅が徐々に大きくなる蛇腹状としたものである。このため、ベルト１が走行し、図４Ｂに示すように、駆動プーリ２及び従動プーリ３の部分において円弧状に移動しても、仕切壁１０ａは、その帯状壁１１ａが波状振幅度合を変化させ蛇腹部分を開閉してその円弧状に移動することを許容して途切れることはない。
【００２２】
図６〜図８には、仕切壁のさらに他例を示し、この仕切壁１０ｂは、同図に示すように、２種類の分割片１０ｂ１、１０ｂ２とからなり、両分割片１０ｂ１、１０ｂ２は、その一方（図８（ａ））の立ち上がり部１１ｂの上縁の両端が傾斜面となっており、他方（図８（ｂ））の同上縁が直線状となっている以外は同一形状となっている。分割片１０ｂ１、１０ｂ２にはベルト１と同質のゴムや可撓性樹脂等の柔軟性のあるものを使用する。
立ち上がり部１１ｂは縦断面等脚台形枠状となって、その下縁に横方向に伸びる片状取付部１２ｂを有する。この取付部１２ｂをベルト１にビス６により取り付けることによって、各分割片１０ｂ１、１０ｂ２をベルト１に固定し、ベルト１の搬送面上の幅方向中央にベルト１の帯方向全長に亘る仕切壁１０ｂを形成する（図６参照）。ビスに代えて接着しても良い。
【００２３】
この分割片１０ｂ１、１０ｂ２は、図７に示すように、一方の分割片１０ｂ１を他方の分割片１０ｂ２にその枠状両立ち上がり部１１ｂ、１１ｂの嵌め込みによって連結すると、立ち上がり部１１ｂからなる仕切壁１０ｂ部分は隙間のないように重なり合う。また、上記実施形態と同様に、連結された各分割片１０ｂ１、１０ｂ２は、隣り同士の側縁が重なり合って上記駆動プーリ２及び従動プーリ３の部分において円弧状に移動しても、その重なり合いが伸縮（重なり合い度合いが変化）して解除されない。このとき、一方の分割片１０ｂ１上縁の両端傾斜面によってその円弧状移動が円滑になされる。
【００２４】
図９、図１０には、仕切壁のさらに他例を示し、この仕切壁１０ｃは、上記図７で示した実施形態において、各分割片１０ｂ１、１０ｂ２の取付部１２ｂを側方に延ばしてその端部にベルト１の側縁に嵌るコ字状フック部１３を設けたものである。図９に示すように、そのフック部１３をベルト１の側縁に嵌めて、接着やビス止め等によってベルト１に固定することによってベルト１の搬送面上の幅方向中央にベルト１の帯方向全長に亘る仕切壁１０ｃを形成する。フック部１３をベルト１の側縁に嵌めるだけで、各分割片１０ｂ１、１０ｂ２がベルト１に固定されれば、前記接着等を行う必要はない。
【００２５】
上記各実施形態は、搬送装置としてベルトコンベアＢを示したが、駆動プーリ２と従動プーリ３との間に掛け渡されて周回する搬送面１を有する搬送装置、例えば、エプロンコンベア等の搬送装置であれば、この発明を採用することができる。そのエプロンコンベアの場合、各エプロン毎にそれぞれ仕切壁を設けることができ、その隣り合う各仕切壁の側縁同士が重なり合って駆動プーリ及び従動プーリの円弧状の移動時においても、その重なり合いが搬送方向に伸縮して解除されないようにする。
また、仕切壁１０、１０ａ・・は、ベルト等の搬送面を成す部材と別部品としたが、両者を一体成形品としても良く、さらに、１条に限らず、２条、３条等と複数条設けることができる。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００２６】
Ｂ  ベルトコンベヤ
Ｃ  スクレーパ装置
Ｄ１、Ｄ２  被搬送物
Ｓ  ヘッドシュート（被搬送物供給手段）
Ｈ  ホッパー（被搬送物受取手段）
１  コンベヤベルト（搬送面、搬送路）
１ａ、１ｂ  分割された搬送路（搬送面）
２  駆動プーリ
３  従動プーリ
４  往路案内ローラ
５  復路案内ローラ
１０、１０ａ、１０ｂ、１０ｃ  仕切壁
１０ｂ１、１０ｂ２  仕切壁１０ｂ、１０ｃをなす分割片
１１  仕切壁１０をなす分割片
１１ａ  仕切壁１０ｂをなす帯状壁
１１ｂ  分割片１０ｂ１、１０ｂ２の立ち上がり部
１２  同取付片
１２ｂ  同片状取付部
１３  同コ字状フック部
【図１Ａ】
2016132533.tif 000003
【図１Ｂ】
2016132533.tif 000004
【図１Ｃ】
2016132533.tif 000005
【図２】
2016132533.tif 000006
【図３】
2016132533.tif 000007
【図４Ａ】
2016132533.tif 000008
【図４Ｂ】
2016132533.tif 000009
【図５】
2016132533.tif 000010
【図６】
2016132533.tif 000011
【図７】
2016132533.tif 000012
【図８】
2016132533.tif 000013
【図９】
2016132533.tif 000014
【図１０】
2016132533.tif 000015